(57)【特許請求の範囲】
【請求項１】
固定側型体８と、固定側型体８に対し前方へ移動可能な可動側型体９と、固定側型体８に対しサイド方向へスライド可能な固定側補助型体１０と、可動側型体９から引き抜き可能な可動中子１３と、それらの内側に配したコア１１とによって、中芯本体３を形成するキャビティ１６と、取付脚片５を形成するキャビティ１７とを連通するように設けた金型を構成して、その金型のキャビティ１６，１７に加熱溶融した樹脂を注入して冷却固化することにより取付脚片５付きの断面形状が円筒状又は渦巻状等に湾曲した中芯本体３を成形し、その後、先端部を中芯本体３の両端部の間に挿入していた固定側補助型体１０をサイド方向へスライドさせて中芯本体３の両端部の間から固定側補助型体１０を脱出させてから、コア１１と可動側型体９を前方へ一緒に移動させることにより中芯本体３の片側部分を固定側型体８から脱出させ、さらに、コア１１を停止させてから可動中子１３により取付脚片５を掛止した状態で可動側型体９を前進させて中芯本体３を引張ることにより中芯本体３の両端部を弾性変形させて開きながらコア１１を中芯本体３の内側から外部へ脱出させ、その後、可動側型体９から可動中子１３を引き抜いて中芯本体３を突き出しピン２０により可動側型体９から突き出すことを特徴とする血圧計の腕帯における中芯の製造方法。
【請求項２】
断面形状が円筒状又は渦巻状等に湾曲したキャビティ１６を形成するための固定側型体８、可動側型体９、固定側補助型体１０及びコア１１を設けるとともに、可動側型体９とともに上記のキャビティ１６と連通するキャビティ１７を形成するための可動中子１３を設けて、型締状態においてキャビティ１６とキャビティ１７とに加熱溶融した樹脂を注入して冷却固化することによりそれぞれのキャビティで中芯本体３と取付脚片５とを一体的に成形可能となし、又、成形した中芯本体３の両端部の間から固定側補助型体１０が脱出できるように固定側型体８に対し固定側補助型体１０をサイド方向へスライド可能になすとともに、成形した中芯本体３の片側部位が固定側型体８から脱出できるようにコア１１と可動側型体９とを固定側型体８に対し前方へ移動可能となし、又、成形した中芯本体３の両端部を弾性変形により開きながらコア１１が中芯本体３の内側から外部へ脱出できるようにコア１１を停止可能にするとともに可動中子１３で取付脚片５を掛止して中芯本体３を引っ張りながら可動側型体９をコア１１に対し前方へ移動可能となし、さらに、取付脚片５に対する掛止を解消できるように可動中子１３を可動側型体９から引き抜き可能となして、可動側型体９から突き出しピン２０により中芯本体３を突き出し可能とした金型を備えたことを特徴とする血圧計の腕帯における中芯の製造装置。
【発明の詳細な説明】
【０００１】
【発明の属する技術分野】
本発明は血圧計の腕帯における中芯の製造方法及びその製造装置に関する。
【０００２】
【従来の技術】
血圧計の腕帯には、上腕に着用するタイプと、手首に着用するタイプがあって、上腕に着用するタイプは血圧計本体にチューブを介して腕帯を接続しているが、手首に着用するタイプは少し小型で腕帯に直に血圧計本体を取付けている。そして、図１に示すように、手首に着用するタイプの腕帯１は、一端に渦巻状部位２を有して、その渦巻状部位２の内面部に空気袋４を設けるとともに、その空気袋４の外側に円筒状又は渦巻状等に湾曲した中芯本体３を重ね合せた構造になっている。そして、中芯本体３には、血圧計本体（図は省略）に接続するための取付脚片５，６を一体的に突設している。この中芯本体３及び取付脚片５，６は弾性変形可能な硬質プラスチックを材料として金型を用いた射出成形により製造されることが多いが、その特殊な形状のために成形が困難で、金型構造が複雑化して生産性が上がらずコスト高になるという問題があった。なお、図１において，符号７は空気袋４に空気を送入するための空気口であって、中芯３に設けた孔を貫通している。
【０００３】
【発明が解決しようとする課題】
本発明は、血圧計の腕帯に用いる円筒状又は渦巻状等に湾曲した複雑な形状の中芯を容易に成形することができ、しかも、使用する金型の構造及び動作をシンプルにして生産性をアップすることによりコストダウンを可能とする製造方法及び製造装置の提供を課題とする。
【０００４】
【課題を解決するための手段】
上記課題を解決するために、本発明の血圧計の腕帯における中芯の製造方法は、固定側型体８と、固定側型体８に対し前方へ移動可能な可動側型体９と、固定側型体８に対しサイド方向へスライド可能な固定側補助型体１０と、可動側型体９から引き抜き可能な可動中子１３と、それらの内側に配したコア１１とによって、中芯本体３を形成するキャビティ１６と、取付脚片５を形成するキャビティ１７とを連通するように設けた金型を構成して、その金型のキャビティ１６，１７に加熱溶融した樹脂を注入して冷却固化することにより取付脚片５付きの断面形状が円筒状又は渦巻状等に湾曲した中芯本体３を成形し、その後、先端部を中芯本体３の両端部の間に挿入していた固定側補助型体１０をサイド方向へスライドさせて中芯本体３の両端部の間から固定側補助型体１０を脱出させてから、コア１１と可動側型体９を前方へ一緒に移動させることにより中芯本体３の片側部分を固定側型体８から脱出させ、さらに、コア１１を停止させてから可動中子１３により取付脚片５を掛止した状態で可動側型体９を前進させて中芯本体３を引張ることにより中芯本体３の両端部を弾性変形させて開きながらコア１１を中芯本体３の内側から外部へ脱出させ、その後、可動側型体９から可動中子１３を引き抜いて中芯本体３を突き出しピン２０により可動側型体９から突き出すことを特徴とするものである。
【０００５】
また、本発明の血圧計の腕帯における中芯の製造装置は、断面形状が円筒状又は渦巻状等に湾曲したキャビティ１６を形成するための固定側型体８、可動側型体９、固定側補助型体１０及びコア１１を設けるとともに、可動側型体９とともに上記のキャビティ１６と連通するキャビティ１７を形成するための可動中子１３を設けて、型締状態においてキャビティ１６とキャビティ１７とに加熱溶融した樹脂を注入して冷却固化することによりそれぞれのキャビティで中芯本体３と取付脚片５とを一体的に成形可能となし、又、成形した中芯本体３の両端部の間から固定側補助型体１０が脱出できるように固定側型体８に対し固定側補助型体１０をサイド方向へスライド可能になすとともに、成形した中芯本体３の片側部位が固定側型体８から脱出できるようにコア１１と可動側型体９とを固定側型体８に対し前方へ移動可能となし、又、成形した中芯本体３の両端部を弾性変形により開きながらコア１１が中芯本体３の内側から外部へ脱出できるようにコア１１を停止可能にするとともに可動中子１３で取付脚片５を掛止して中芯本体３を引っ張りながら可動側型体９をコア１１に対し前方へ移動可能となし、さらに、取付脚片５に対する掛止を解消できるように可動中子１３を可動側型体９から引き抜き可能となして、可動側型体９から突き出しピン２０により中芯本体３を突き出し可能とした金型を備えたことを特徴とする、という構成を採るものである。
【０００６】
【発明の実施の形態】
以下、図２乃至図６を用いて本発明の実施の形態について説明する。まず、本発明の中芯は、硬質プラスチックを材料として、金型を用いて射出成形により製造するものである。すなわち、本発明は射出成形機を製造装置とする。
【０００７】
この射出成形機の金型は、図２に示すように、固定側型体８、可動側型体９、固定側補助型体１０、コア１１、可動側補助型体１２、可動中子１３、ガイドピン１４及びストッパ１５等により構成することができる。そして、可動側型体９は固定側型体８に対し前方へ移動して開くことができ、又、コア１１もガイドピン１４により固定側型体８に対し前方へ移動して離れることができ、さらに、コア１１はストッパ１５により停止できて、可動側型体９は停止したコア１１に対し更に前方へ移動してコア１１から離れることができ、又、固定側補助型体１０は固定側型体８に対しサイド方向へスライドでき、さらに、可動中子１３は可動側型体９から図面に垂直方向へ引き抜きできる構造となっている。また、可動側補助型体１２は、可動側型体９に対しサイド方向へスライド可能とすることができる。すなわち、固定側型体８に対し可動側型体９とコア１１が移動する方向をＸ軸方向とすると、固定側補助型体１０と可動側補助型体１２はそれぞれ固定側型体８と可動側型体９に対しＸ軸と直交するＹ軸方向へ移動し、又、可動中子１３は可動側型体９に対しＸ軸及びＹ軸に対し直交するＺ軸方向へ移動するようになっている。
【０００８】
図２は金型の型締状態を示している。この型締状態のとき、内側のコア１１と、外側の固定側型体８、可動側型体９、固定側補助型体１０、可動側補助型体１２及び可動中子１３との間にキャビティが形成されている。このキャビティは、断面形状が円筒状又は渦巻状を呈して中芯本体３を形成するためのキャビティ１６と、フック状の取付脚片５，６を形成するためのキャビティ１７，１８とから成り、これらキャビティ１６，１７，１８は連通している。
【０００９】
そして、中芯本体３を形成する円筒状又は渦巻状のキャビティ１６の両端部は連通せずに分離していて、その間に隙間を設けている。すなわち、この隙間に固定側補助型体１０の先端部を挿入することにより、中芯本体３を形成する円筒状又は渦巻状のキャビティ１６の両端部が連通しないように分離している。
【００１０】
また、片側の取付脚片５を形成するキャビティ１７は、可動側型体９、可動側補助型体１２及び可動中子１３との間に形成されている。そして、その可動中子１３は、キャビティ１７で形成される片側の取付脚片５におけるフック部１９を掛止可能な形状になっている。
【００１１】
次に、成形工程について説明する。まず、図２の型締状態において、中芯本体３を形成するキャビティ１６へ加熱溶融した樹脂を注入する。なお、スプルーは適宜な箇所、例えば、図中の符号Ａが指し示す箇所などに設けることができる。このとき、取付脚片５，６を形成するキャビティ１７，１８にも勿論樹脂が注入する。
【００１２】
次に、図３に示すように、キャビティ１６，１７，１８へ注入した樹脂を冷却して固化することにより取付脚片５，６付きの中芯本体３を成形してから、固定側補助型体１０を固定側型体８に対しサイド方向へスライドさせて、中芯本体３の両端部の間から固定側補助型体１０の先端部を脱出させる。これにより、中芯本体３が渦巻状を呈して、その一端が他端の外側に重なり合うよう延長されていても、中芯本体３が後述するように前方へ移動する際に、その延長部が固定側補助型体１０に妨げられることがない。
【００１３】
次に、図４に示すように、可動側型体９、コア１１、可動側補助型体１２及び可動中子１３を一緒に固定側型体８に対し前方へ移動させて、成形した中芯本体３の片側部分及び片側の取付脚片６を固定側型体８から脱出させる。コア１１はガイドピン１４にガイドされて移動するがストッパ１５に当接して停止する。
【００１４】
次に、図５に示すように、停止したコア１１に対し、さらに、可動側型体９、可動側補助型体１２及び可動中子１３を一緒に前方へ移動させて、それらをコア１１から引き離す。このとき、中芯本体３は可動中子１３により掛止された片側の取付脚片５により可動側型体９に付着していて、そのまま可動側型体９と可動中子１３とに引張られて一緒に前進する。そして、このとき、コア１１は中芯本体３の両端部が弾性変形により開くので中芯本体３の内側から外部へ脱出する。中芯本体３はコア１１を脱出させた後に復元して再び円筒状又は渦巻状等の形状に戻る。
【００１５】
最後に、図６に示すように、可動側補助型体１２を可動側型体９に対しサイド方向へスライドさせ、かつ、可動側型体９から可動中子１３を引き抜いて、可動中子１３による取付脚片５の掛止状態を解消する。そして、可動側型体９を貫通するように設けた突き出しピン２０により中芯本体３を突き出して、中芯本体３及び取付脚片５を可動側型体９から離型させる。なお、可動側補助型体１２は上記の固定側補助型体１０と一緒にスライドさせることも可能である。なお、この可動側補助型体１２を設けることにより、取付脚片５のキャビティ１７を形成しやすくなり、かつ、中芯本体３に孔２１を設けることができ、又、可動側補助型体１２をスライド可能とすることにより取付脚片５が可動側型体９から離型しやすくなる。
【００１６】
【発明の効果】
本発明の血圧計の腕帯における中芯の製造方法及び製造装置は上記の通りであり、円筒状又は渦巻状等の形状を呈する中芯本体３、すなわち、一端が他端の外側に重なり合うように延長された複雑な形状の中芯本体３であっても、その一端の延長部が邪魔になることなく極めて容易に成形することができる。また、取付脚片５を可動中子１３で掛止した状態で可動側型体９を移動させて中芯本体３を引っ張ることにより、その中芯本体３の両端部を弾性変形により開きながらコア１１を中芯本体３の内側から外部へ容易に脱出させることができるので、コア１１を中芯本体３の内側から外部へ抜き出す操作が不要となり、金型の構造及び動作をシンプルにすることができる。また、中芯本体３を可動中子１３により掛止して可動側型体９により引張り可能とするために取付脚片５を利用するので、中芯本体３に実用上は必要のないフック状等の突起など（可動中子１３により掛止されるもの）を一体的に成形して、その突起などを成形後に切断するような余分な工程が不要となる。したがって、効率良く成形できて生産性がアップするのでコストダウンを達成することができる。
【図面の簡単な説明】
【図１】血圧計の腕帯の一部切断斜視図である。
【図２】金型の型締状態を示す要部断面図である。
【図３】金型の固定側補助型体を固定側型体のサイド方向へスライドさせた状態を示す要部断面図である。
【図４】金型の可動側型体とコアを一緒に固定側型体に対し前方へ移動させた状態を示す要部断面図である。
【図５】金型の可動側型体をコアから引き離した状態を示す要部断面図である。
【図６】金型の可動側型体から可動中子を引き抜いた状態を示す要部断面図である。
【符号の説明】
１  腕帯
２  渦巻状部位
３  中芯本体
４  空気袋
５  取付脚片
６  取付脚片
７  空気流入口
８  固定側型体
９  可動側型体
１０  固定側補助型体
１１  コア
１２  可動側補助型体
１３  可動中子
１４  ガイドピン
１５  ストッパ
１６  キャビティ
１７  キャビティ
１８  キャビティ
１９  フック部
２０  突き出しピン
２１  孔
【図１】
0003653478.tif 000002
【図２】
0003653478.tif 000003
【図３】
0003653478.tif 000004
【図４】
0003653478.tif 000005
【図５】
0003653478.tif 000006
【図６】
0003653478.tif 000007